(57)【要約】【課題】使用後のカニューレ針との不注意な接触を防ぎ、使用により汚染が生ずることを防ぐことのできる静脈カテーテル挿入装置を提供する。【解決手段】静脈カテーテル挿入装置は、バレル（２，９）の前側端口（２２３，９３１）と係合し、バレル（２，９）の通路（２１）と連通するダクト（５１３）を持つカテーテルハブ（５）を含む。カテーテル管（６）は前記ダクト（５１３）と連通し、カニューレ針（３２）を通すことを許容するように配置される。プランジャ（４）は通路（２１）内に収容され、手動操作ができるように、バレル（２）の後方に延びる。プランジャ（４）は減圧で流体を保持し、通路（２１）内でカニューレ針（３２）と連結され、カニューレ針（３２）が大気と減圧との圧力差によりキャビティ（４１）内に抜き取られるようにしている。【選択図】    図３
2005021352.tif 000002
【特許請求の範囲】
【請求項１】
第１軸を囲み、第１軸に沿った貫通孔（５１６）を画成する包囲チップ壁（５１２）と、
第１軸に沿って前記包囲チップ壁（５１２）に対向し、第１軸を囲む内側スリーブ壁面を持ち、前記貫通孔（５１６）より大きい挿入孔（５１７）を画成するスリーブ壁（５１１）と、
前記包囲チップ壁（５１２）と前記スリーブ壁（５１１）との間に位置し、前記貫通孔により前記挿入孔（５１７）と連通させるダクト（５１３）を画成し、前記ダクト（５１３）を大気と連通させる内部を通って延びる連通口（５１４）を持つ中間管状壁（５１）とを含むカテーテルハブ（５）と、
前記貫通孔（５１６）内に位置し、第１軸に沿って延びて前記ダクト（５１３）と連通する近接セグメント（６１）と、前記近接セグメントから第１軸に沿って延び前記包囲チップ壁（５１２）の外側に突出する先端セグメント（６２）とを含むカテーテル管（６）と、
互いに対向し、第２軸を囲む内側及び外側包囲バレル壁面（２２１，２２２）を持ち、前記内側包囲バレル壁面（２２２）は、第２軸に沿って長手方向に互いに対向して位置する前端口及び後端口（２２３，２２４、９３１，９３２）を持つ通路（２１）を画成し、前記内側包囲バレル壁面２２２は、前側及び後側通路を夫々画成し、前記前端口及び後端口の近傍に夫々位置して前記大径セグメント（２１２，９２）と小径セグメント（２１１，９１）との間に包囲肩部（２１３）を形成している大径セグメント（２１２，９２）と小径セグメント（２１１，９１）を含み、前記外側包囲バレル壁面（２２１）は、前記前端口（２２３，９３１）の近傍で前記内側スリーブ壁面に対して固定され、それにより第１軸と第２軸とが一致するようにした前側包囲領域（２２１１）を持つバレル（２，９）と、
先端と互いに対向する固定端（３２１、３２２）と、前記先端と固定端との間に位置する中間セグメント（３２３）を含むカニューレ針（３２）と、
通路（２１）内に収容され、第２軸に沿う管状針座（３１）であって、
前記固定端（３２２）を固定するために位置するハブエンド（３１３）と、
前記ハブエンド（３１３）から第２軸に沿って延び、前記固定端３２２を収容し又は固定端と連通させる通路を画成する包囲係合壁（３１１）で、該包囲係合壁（３１１）は第２軸を囲む外側係合壁面を持ち、前記小径セグメント（２１１，９１）に対して第２軸の回りで、夫々、第２軸に沿って移動可能又は移動不可能となる係合位置と解除位置との間で回転可能とされた包囲係合壁（３１１）と、
前記通路（２１）と連通する軸方向貫通孔（３１２１）を画成し、前記包囲係合壁（３１１）から前記前側通路の外側に延びるアンカーセグメント（３１２）であって、前記アンアカーセグメント（３１２）は、前記包囲係合壁が係合位置から解除位置へと時計方向に回転するとき、前記包囲肩部（２１３）に近い位置のフックアップ位置から前記包囲肩部から遠い位置の圧縮位置へ移動するように前記包囲係合壁（３１１）と共に回転されるアンカー端部（３１２２）で終端となるアンカーセグメント（３１２）とを含む該管状針座（３１）と、
使用位置においては、長手方向に大径セグメント（２１２，９２）に沿って移動可能であり、廃棄位置においては、大径セグメントに沿って移動不可能で、大径セグメントに対して回転可能であるように通路（２１）内に収容されるプランジャ（４）であって、
前記方位肩部（２１３）に対向して位置する頂端壁（４２１）と、前記頂端壁と長手方向に対して反対側の底端壁（４２２）であって、該底端壁は前記プランジャ（４）の移動および回転を許容するように前記後端口（２２４，９３２）の外側に延び、前記頂端壁（４２１）は第２軸を囲み、内部にキャビティ（４１）を画成する内側周辺エッジ部（４２４）を持ち、前記キャビティ（４１）は第２軸に沿って底端壁（４２２）まで延び、流体を負圧で保持するよにしたプランジャと、
前記アンカー端部（３１２２）と係合可能に配置されるアンカー部（４３２）であって、前記プランジャ（４）が廃棄位置にあり、前記包囲係合壁（３１１１）が係合位置にあるとき、前記プランジャ本体４２の前記大径セグメント（２１２，９２）に対する時計方向の回転が包囲係合壁（３１１）を係合位置から解除位置へ移動させ、それにより前記アンカー端部（３１２２）をフックアップ位置から圧縮位置へ移動させるようにしたアンカー部（３１２）と、
流体をキャビティ（４１）内に保持するため、前記内側周辺エッジ部（４２４）にシールラインに沿ってシールするように取り付けられたシール部（４３４）であて、前記シールラインは前記アンカー端部（３１２２）のフックアップ位置から圧縮位置への移動が前記アンカー部（４３２）をシールラインを剥ぎ取るように圧縮して、それにより前記シール部材（４３）を前記プランジャ本体（４２）より開放し、カニューレ針（３２）を伴う管状針座（３１）が、負圧と連通口（５１４）を通して導入される大気圧との間の圧力差によりキャビティ内（４１）内に吸引されるシール部材（４３）により引かれ、それによりカニューレ針（３２）を前記カテーテル管（６）から前記キャビティ（４１）内に引き抜くことを可能としているシール部とを含むシール部材（４３）、
を有することを特徴とする静脈カテーテル挿入装置。
【請求項２】
前記外側包囲バレル壁面（２２１）の包囲領域（２２１１）は、前記カテーテルハブ（５）のスリーブ壁の内側スリーブ壁面に当接するように前記挿入孔（５１７）内に挿入され、
前記プランジャ本体（４２）は第２軸を囲む外側プランジャ壁面を持ち、
前記静脈カテーテル挿入装置は、更に、外側プランジャ壁面（４２３）と大径セグメント（２１２，９２）に夫々配置された第１雄型及び雌型螺子セグメント（４２５，２２５）を有し、前記プランジャ本体（４２）を大径セグメント（２１２、９２）に沿って移動するのを拘束し、前記プランジャ本体４２を前記大径セグメント（２１２，９２）に相対的に時計方向に回転することを許容するようにしたことを特徴とする請求項１に記載された静脈カテーテル挿入装置。
【請求項３】
更に、前記外側係合壁面を前記小径セグメント（２１１，９１）に対して相対的に回転できるように、前記外側係合壁面と前記小径セグメント（２１１，９１）上に夫々配置された第２の雄型及び雌型螺子セグメント（３１４，２２６）を有することを特徴とする請求項２に記載の静脈カテーテル挿入装置。
【請求項４】
前記アンカー部（４３２）は、前記アンカーエンド（３１２２）を収容する形状とされた凹所（４３１）を画成する第２軸に沿って延びる内側壁を持ち、前記静脈カテーテル挿入装置は、前記アンアカーエンド（３１２２）と前記内側包囲壁上に夫々配置された第３の雄型及び雌型螺子セグメント（３１５，４３３）を有し、前記第３の雄型及び雌型螺子セグメントの互いの相対的回転により、アンカー部（４３２）が前記アンカーエンド（３１２２）と係合するように移動されることを特徴とする請求項３に記載の静脈カテーテル挿入装置。
【請求項５】
更に、前記内側周辺部（４２４）から半径方向に第２軸に向けて延びるように配置された包囲突起（４２４１）を有し、前記シール部（４３４）と摩擦的に接触し、それによりシールを確立するようにしたことを特徴とする請求項４に記載の静脈カテーテル挿入装置。
【請求項６】
前記スリーブ壁（５１１）の内側スリーブ壁面は、第１軸を囲む境界領域を画成し、前記スリーブ壁（５１１）を貫通して挿入孔（５１７）と連通し、境界領域（５１９）に対して連通口（５１４）と反対側の再入口（５１５）を有し、前記静脈カテーテル挿入装置は、
前記内側スリーブ壁面と前記境界領域で係合する障壁部材（５４）と、
前記障壁部材（５４）に接続され、第１軸に沿って貫通通路を画成する前側ネック端部（５３４）と、  前記ネック端部（５３４）から第１軸に沿って延び、内側当接面（５３６）持つ後部フレア端部（５３２）とを持ち、前記当接請面（５３６）は、第１軸を囲み、再入口（５１５）と連通するように延びる流路（５３５）を画成し、前記内側当接面（５３６）は前記バレル２の前記外側包囲バレル壁面（２２１）の前側包囲領域（２２１１）と係合し、それにより前記貫通路（５３１）とバレル（２）の通路（２１）とを整列させてカニューレ針（３２）を貫通路（５３１）を通し、前記カテーテル管（６）の外側に延びるようにした管状インサート（５３）とを有することを特徴とする請求項１に記載の静脈カテーテル挿入装置。
【請求項７】
長手方向に延び、長手方向に互いに反対側の前側端口及び後側端口（２２３、２２４、９３１、９３２）を持つ通路２１を画成する内側包囲壁面（２２２）と、前側端口（２２３，９３１）に近接する前側包囲領域（２２１１）を持つ外側包囲バレル壁面を持つバレル（２，９）と、
前側端口（２２３，９３１）内に引き抜き可能に収容されるカニューレ針（３２）と、
長手方向に移動可能に通路（２１）内に収容され、手動操作が可能なように後端口（２２４，９３２）の外側に延び、長手方向に延びるキャビティ（４１）を持ち、減圧状態で流体を保持し、通路（２１）内でカニューレ針（３２）と接続され、カニューレ針（３２）が大気圧と減圧との圧力差による吸引力に曝されるときカニューレ針（３２）が、キャビティ（４１）内に引き込まれるようなプランジャ（４）と含み、静脈カテーテル挿入装置は、
カテーテルハブ（５）と、
軸を囲み、長手軸に沿って延びる貫通孔（５１６）を画成する包囲チップ壁（５１２）と、
前記軸に沿い、前記包囲チップ壁（５１２）に対して対向し、前記軸を囲む内側スリーブ壁面を有し、前記貫通孔（５１６）より大きい挿入孔（５１７）を画成するするスリーブ壁であって、前記内側スリーブ壁面はバレル（２）の外側包囲バレル壁面（２２）の前側包囲領域（２２１１）に対して固定されるように適合されて通路（２１）を貫通孔（５１６）と整列させるようにしたスリーブ壁と、
前記包囲チップ壁（５１２）と前記スリーブ壁（５１１）との間に位置し、前記挿入孔（５１７）を前記貫通孔（５１６）と連通するダクト（５１３）を画成し、前記内側スリーブ壁面がバレル（２）の外側包囲バレル壁面（２２１）の前側包囲領域（２２１１）に対して固定されるとき、カニューレ針が通るように適合され、前記ダクト（５１３）を大気と連通させる連通孔（５１４）を持つ中間管状壁（５１）と、
前記貫通孔（５１６）内に位置し、軸に沿って延びて前記ダクト（５１３）と連通する近接セグメント（６１）と、前記近接セグメント（６１）から軸に沿って延び前記包囲チップ壁（５１２）の外側に突出する先端セグメント（６２）とを含み、カニューレ針（３２）上に挿入され、カニューレ針（３２）をカニューレ針が前記ダクト（５１３）を通すようにされたとき、カニューレ針をその外側に延びるようにしたカテーテル管（６）と、
を含むことを特徴とする廃棄可能なシリンジと共に使用する静脈カテーテル挿入装置。
【請求項８】
前記中間管状壁（５１）は、前記ダクト（５１３）を画成する内側管状壁と前記内側管状壁と半径方向で対向する外側管状壁を持ち、前記内側管状壁は前記包囲先端壁（５１２）と保持肩部（５１８）を形成し、前記保持肩部（５１８）は、軸に沿って前記ダクトに対向し、前記近接セグメント（６１）は前記貫通孔（５１６）の外側に突出するように軸に沿って延び、前記保持肩部と当接し、前記保持肩部で保持されるフランジ部（６１１）で終端となることを特徴とする請求項７に記載の静脈カテーテル挿入装置。
【請求項９】
前記内側スリーブ壁面は、軸を囲む境界領域（５１９）を画成し、前記スリーブ壁（５１１）を貫通して半径方向に延びる前記挿入孔（５１７）と連通し、前記境界領域（５１９）に対して前記連通孔（５１４）と反対側に位置する再入口（５１５）を持ち、
前記静脈カテーテル挿入装置は、更に、弾性材料からなり、前記境界領域（５１９）において内側スリーブ壁面と係合するる障壁部材（５４）と、
前記障壁部材（５４）に接続され軸方向に通路（５３１）を画成する前側ネック端部（５３４）と、内側当接面（５３６）を持ち、前記ネック端部（５３４）から軸方向に延びる後側フレア端部（５３２）を持ち、前記内側当接面（５３６）は軸を囲み前記再入口（５１５）と連通するように延びる流路（５３５）を画成し、前記内側当接面（５３６）はバレル（２）の外側包囲バレル壁面（２２１）の前側包囲領域（２２１１）と係合するようにされ、これにより、前記カニューレ針（３２）が前記通路（５３１）を通って、カテーテル（６）の外側まで延びるように前記通路（５３１）をバレル（２）の通路（２１）と整列させるようにした管状インサート（５３）とを有することを特徴とする請求項８に記載された静脈カテーテル挿入装置。
【請求項１０】
前記内側スリーブ壁面は軸を囲む境界領域を画成し、
前記静脈カテーテル挿入装置は、更に、前記境界領域において内側スリーブ壁面と係合する障壁部材（５４）と、
前記障壁部材（５４）に接続され、軸に沿って通路を画成する前側ネック端部（５５４）と、軸に沿って前記前側ネック端部（５５４）から延びる後側フレーア端部（５５２）を持ち、前記後側フレア端部（５５２）は、軸を囲み流路（５５１）を画成する内側当接面と前記流路（５５１）と連通して半径方向に延び、前記境界領域に対して前記連通孔（５１４）と反対側にある再入口（５５５）を持ち、前記フレア端部（５５２）の前記内側当接面は、バレル（２）の外側包囲バレル壁面（２２１）の前側包囲領域（２２１１）と係合するようにされ、これにより、前記カニューレ針（３２）が前記通路（５３１）を通って、カテーテル（６）の外側まで延びるように前記通路をバレル（２）の通路（２１）と整列させるようにした管状インサート（５５）とを有することを特徴とする請求項８に記載された静脈カテーテル挿入装置。
【発明の詳細な説明】
【０００１】
【発明の属する技術分野】
本発明は静脈カテーテル挿入装置に関し、特に、カニューレ針を負圧のプランジャーキャビティ内で後退させることを可能とする内カテーテル挿入装置に関する。
【０００２】
【従来技術】
静脈カテーテル挿入装置は一般的に血液へ薬剤液を投与、あるいは患者の血管から血液を抽出するのに使用される。図１及び図２を参照すると、通常の静脈カテーテル挿入装置１は、ハブエンド１１１を持つ管状針座１１、ハブエンド１１１に固定されるカニューレ針１２、針座１１上に挿入されるカテーテルハブ１３、及びカテーテルハブ１３に固定される可撓性カテーテル管１４を含むことが示されている。使用に際しては、カテーテル１４とカニューレ針１２は看護人により、カテーテル１４から外側に突出する鋭い先端のカニューレ針１２で患者の血管内に挿入することにより患者の血管内に挿入される。次に看護人はカニューレ針１２を手でカテーテル１４から引き抜き、同時に、他の手で患者の皮膚を押圧し、それによりカテーテル１４を患者の血管内に残す。それに続いて、患者の血管内に薬液を投与或いは血液を抽出するために投与する薬液を有する輸液部材（図示せず）又は空のバレルが連結される。この時点において、看護人は使用したカニューレ針１２と針座１１をそばのトレイに置くため、使用したカニューレ針１２の鋭利な先端が針の刺さる事故を起すことがある。さらに、カテーテルハブ１３を輸液部材又は空のバレルに接続している間に血液の汚染が生じる可能性がある。
【０００３】
図２を参照すると、挿入過程において、カニューレ針１２内のノッチ１２１を通してカテーテル内への血液の流入が透明なカテーテル１４を通して観察される。しかしながら、ノッチ１２１があるため、カニューレ針１２が患者の血管内にカテーテル１４を通す過程で曲がりやすくなる。更に、カニューレ針１２のノッチ１２１のある部分が患者の血管内に挿入されるとカテーテル１４内の血液が見えなくなる。
【０００４】
【発明が解決しようとする課題】
本発明の目的は事故と、使用後のカニューレ針との不注意な接触を防ぎ、使用により汚染が生ずることを防ぐことのできる静脈カテーテル挿入装置を提供することである。
【０００５】
【課題を解決するための手段】
本発明によれば、静脈カテーテル挿入装置は、カテーテルハブ、カテーテル管、バレル、管状カニューレ針、管状針座、及びプランジャを含む。
【０００６】
カテーテルハブは第１の軸を囲み、貫通孔を画成する包囲チップ壁と、貫通孔より大きい挿入孔を画成する内側スリーブ壁面を持つスリーブ壁と、包囲チップ壁とスリーブ壁の間に介在され、貫通孔により挿入孔と連通するダクトを画成し、ダクトを周囲の空気と連通させる連通口を持つ中間管状壁を含む。
【０００７】
カテーテル管は貫通孔内に配置され、第１軸に沿って延びダクトと連通する近接セグメントと、近接セグメントから第１軸に沿って延び、包囲チップ壁の外部に突出する先端セグメントを含む。
【０００８】
バレルは、互いに対向し第２の軸を囲む外側及び内側包囲バレル壁面を持つ。内側包囲バレル壁面は、前端及び後端に対向する開口を持つ通路を画成し、夫々、後部及び前部の通路を画成し、前方及び後方端部に近接して位置して包囲肩部を形成する大径のセグメントと、小径のセグメントを含んでいる。外側包囲バレル壁面は、それにより第１軸と第２軸が一致するように内側スリーブ壁面に相対的に固定される前側包囲領域を持つ。カニューレ針は反対のチップと固定端とそれらの間の中間セグメントを含む。
【０００９】
管状針座は通路内に収容され、第２の軸に沿って延びる。管状針座は固定端部を固定するために配置されるハブエンドと、ハブエンドから第２軸に沿って延び、固定軸を収容又は連通する軸方向の通路を画成する包囲係合壁と、通路と連通するための軸方向貫通孔を画成し、包囲係合壁から前側通路の外側に延びるアンカーセグメントを含む。包囲係合壁は、小径セグメントと係合し、第２軸の回りで係合位置と解除位置の間を小径セグメントと相対的に回転する外側係合壁面を有し、該包囲係合壁は第２軸に沿って、それぞれ、小径セグメントに対して、可動不能又は可動となる。アンカーセグメントは包囲係合壁と共に回動するアンカー端部で終端となる。このように、包囲係合壁が時計方向に係合位置から解除位置に回動すると、アンカーエンドが包囲肩部に近いフックアップ位置から包囲肩部から遠い圧縮位置に動くことができる。
【００１０】
プランジャは通路内に収容され、使用位置においては、プランジャは大径セグメントに沿って移動可能であり、廃棄位置では、プランジャは大径セグメントに沿っては移動できず、回転可能となる。プランジャはプランジャ本体とシール部材を含む。
【００１１】
プランジャ本体は包囲肩部に向かい合うように配置された頂部エンド壁と、プランジャの移動と回転を許すように開口した後方端部の外に延びる底端部壁を含む。頂部壁は、第２軸を囲み、その内部にキャビティを画成する内側周辺エッジ部を持つ。キャビティは第２軸に沿って、底端部壁に向かい延び、そして減圧の状態で流体を収容する。
【００１２】
シール部材はアンカー部とシール部を含む。プランジャが廃棄位置にあるとき、また、包囲係合壁が係合位置にあるとき、プランジャ本体の大径セグメントに対する時計方向の回転は、包囲係合壁を係合位置から解除位置にもたらし、それによりアンカー端部をフックアップ位置から圧縮位置へ移動させるようにして、アンカー部はアンカー端部と係合した状態で廃棄される。シール部は、キャビティ内の流体を保持するようにシールラインに沿って内側周辺エッジ部にシール状態で取り付けられる。アンカー端部のフックアップ位置から圧縮位置への動きはシールラインを引き裂くようにアンカー部を圧縮し、それによりシール部材をプランジャから解除する。したがって、管状針座はカニューレ針と共にシール部材により引っ張られ、このシール部材は負圧と連通孔より導入される周囲圧との差による圧力差によりキャビテイ内に吸引され、これにより、カニューレ針をカテーテル管よりキャビティ内に引き抜くことが可能となる。
【００１３】
図面の簡単な説明
本発明の他の特徴と利点は添付の図面を参照した本発明の好ましい実施例の詳細な説明により明らかとなるであろう。
【００１４】
図１は通常の静脈カテーテル挿入装置の斜視図である。
【００１５】
図２は通常の静脈カテーテル挿入装置により挿入されたカニューレ針を示す模式図である。
【００１６】
図３は本発明による静脈カテーテル挿入装置の第１の好ましい実施例を示す部分断面図である。
【００１７】
図４は第１の実施例の使用状態を示す断面図である。
【００１８】
図５はシール部材が管状針座と接触している状態の第１の好ましい実施例の断面図である。
【００１９】
図６はシール部材が管状針座に係合している状態の第１の好ましい実施例の断面図である。
【００２０】
図７はシール部材がプランジャ本体から解除された状態の第１の好ましい実施例の断面図である。
【００２１】
図８は管状針座とカニューレ針がプランジャ本体内に引き抜かれた状態の第１の好ましい実施例の断面図である。
【００２２】
図９は他の使用状態の第１の好ましい実施例の部分断面図である。
【００２３】
図１０は本発明の静脈カテーテル挿入装置の第２の好ましい実施例の部分断面図である。
【００２４】
図１１は本発明の静脈カテーテル挿入装置の第３の好ましい実施例の部分断面図である。
【００２５】
図１２は本発明の静脈カテーテル挿入装置の第４の好ましい実施例の斜視図である。
【００２６】
図１３は静脈カテーテル挿入装置の第４の好ましい実施例の断面図である。
【００２７】
【発明の実施の形態】
本発明を詳細に説明する前に、明細書を通じて同じ参照符号は類似の要素を示すために使用されることを留意されたい。
【００２８】
図３と４を参照すると、本発明の静脈カテーテル挿入装置の第１の好ましい実施例が、カテーテルハブ５、カテーテル管６、バレル２、針アセンブリ３、及びプランジャ４からなることが示されている。
【００２９】
カテーテルハブ５は包囲チップ壁５１２、第１軸に沿って包囲チップ壁５１２と反対側の管壁５１１、包囲チップ壁５１２と管壁５１１との間に位置する中間管状壁５１２を含む。
【００３０】
包囲チップ壁５１２は第１軸を囲み、第１軸に沿う貫通孔５１６を画成する。管壁５１１は第１軸を囲み、貫通孔５１６より大きい挿入孔５１７を画成する内側スリーブ壁面を持つ。中間管壁５１は挿入孔５１７を貫通孔５１６と連通させるダクト５１３を画成する内側管壁面と、内側管壁面と半径方向で対向する外側管壁面を持つ。更に、中間管状壁５１はダクト５１３を外気と連通させるための内側管壁面と外側管壁面を半径方向に貫通する連通孔５１４を持つ。プラグ５２は図４に示されるように、連通孔５１４を閉鎖するために配置される。中間管状壁５１の内側管壁面は包囲チップ壁５１２を持つ保持肩部５１８を形成する。保持肩部５１８は第１軸に沿ってダクト５１３に対向する。
【００３１】
カテーテル管６は、貫通孔５１６内に配置され、第１軸に沿ってダクト５１７と連通し、貫通孔５１６の外部に突出する近接セグメント６１と、近接セグメント６１から第１軸に沿って延び、包囲チップ壁５１２の外側に突出する先端セグメント６２を含む。近接セグメント６１は保持肩部５１８に当接して保持されるフランジ部６１１で終わる。
【００３２】
バレル２は第２軸を囲み互いに対向する内側及び外側包囲バレル壁面２２１，２２２を持つ。内側包囲バレル壁面２２２は、第２軸に平行な長手方向に互いに対向して位置する前端口及び後端口を持つ通路２１を画成し、後部及び前部通路をそれぞれ画成し、後端口及び前端口２２４，２２３に夫々近接して位置する大径セグメント２１２と小径セグメント２１１を含み、大径セグメント２１２と小径セグメント２１１との間に包囲肩部２１３を形成している。外側包囲バレル壁面２２１は、前端口２２３に近接し、スリーブ壁５１１の内側スリーブ壁面に当接するように挿入孔５１７内に挿入可能で、これにより、第１軸と第２軸が一致する前方包囲領域２２１１を有する。第１雌型螺子セグメント２２５は、複数の半径方向リブを含み、後端口２２４に隣接する大径セグメント２１２の上に配置される。スパイラル溝の第２雌型螺子セグメント２２６は包囲肩部２１３に隣接して小径セグメント２１１上に配置される。
【００３３】
針アセンブリ３はカニューレ針３２と管状針座３１を含む。
【００３４】
カニューレ針３２は互いに対向する先端と固定端部３２１、３２２と、先端と固定端部３２１，３２２との間の中間セグメント３２３を含む。
【００３５】
管状針座３１は軽量の透明材料からなり、通路２１内に収容され、第２軸に沿って延びる。管状針座３１はカニューレ針３２の固定端部３２２を固定するために配置されたハブ端部３１３と、第２軸に沿ってハブ端部３１３から延び、カニューレ針３２の固定端部３２２を収容又はこれと連通する軸方向の通路を画成する包囲係合壁３１１を含む。包囲係合壁３１１は  異なる角度で配置された複数のリブを含み、（第２）第２軸を囲み、第２雌型セグメント２２６と係合位置にて螺子で係合する雄型螺子セグメント３１４が形成された外側係合壁面を持ち、これにより、管状針座３１の包囲係合壁３１１が小径セグメント２１１に対して第２軸に沿って移動できなくなる。
【００３６】
管状針座３１は、  通路２１と連通する軸方向貫通孔３１２１を画成し、包囲係合壁３１１から小径セグメント２１１の前側通路の外側に延び、アンカー端部３１２２で終わるアンカーセグメント３１２を含む。第３の雄型螺子セグメント３１５が複数のリブを含み、アンカーエンド３１２２上に配置される。
【００３７】
プランジャ４は、使用状態においては、図４に示されるようにプランジャ４は大径セグメント２１２に沿って長手軸方向に移動可能なように、また、廃棄位置においては、図５に示されるように、移動できず、大径セグメント２１２に対して回転できるように通路２１内に収容される。プランジャ４はプランジャ本体４２とシール部材４３を含む。
【００３８】
プランジャ本体４２は、包囲肩部２１３に対向するように配置去れる頂端壁４２１と、  長手方向に頂短壁４２１に対向する底端壁４２２を含む。底端壁４２２はプランジャ４の回転を許すように後端口２２４の外側を延びている。頂端壁４２１は、第２軸を囲み、内部にキャビティ４１を画成する内側周辺エッジ部４２４を持つ。キャビティ４１は第２軸に沿って底端壁４２２に向けて延び、流体を負圧の状態で保持する。更に、プランジャ本体４２は第２軸を囲む外側プランジャ壁面４２３を持つ。第１雄型螺子セグメント４２５は複数のリブを含み、外側プランジャ壁面４２３の上に配置される。カテーテル部４２６は、底端壁４２２に近い内側周辺エッジ部４２４に位置する。
【００３９】
シール部材４３は弾性材料で形成され、アンカー部４３２とシール部４３４を含む。アンカー部４３２は、第２軸に沿って延び、アンカーセグメント３１２のアンカー端部３１２２を収容して係合可能なような形状をした凹所４３１を画成する内側包囲壁を持つ。内側包囲壁は、スパイラル溝の形態をした第３雌型螺子セグメント４３３と共に形成されている。図４を参照すると、包囲突起４２４１が内側周辺エッジ部４２４から半径方向に第２軸に向かってシール部４３４と摩擦係合するように延び、これにより、キャビティ４１内の流体を閉じ込めるシールラインを確立している。
【００４０】
図４に示されるように、使用に際しては、看護人が一方の手でバレル２を手で持ち、カニューレ針３２のチップエンド３２１とカテーテル管６を患者の血管内に挿入する。管状針座３１のアンカーセグメント３１２は、軽量で透明で凸状面３１６を持ち、軸方向貫通孔３１２１を流れる血液を明確に観察させる。
一端、看護人が血液がアンカーセグメント３１２内に流れていないことに気が付くと、彼又は彼女は血液がアンカーセグメント３１２を通して見えるまでプランジャ４を僅かに引いて血液を抽出し、カテーテル管６が患者の血管内に正しく挿入されていることを確認する。図５と６を参照すると、図４に示されたプラグ５２が連通孔５１４から除去されてダクト５１３を周囲空気と連通させる。プランジャ４が管状針座３１に接触するように前方に押される（図５参照）。第１雄型及び雌型螺子セグメント４２５、２２５により、プランジャ４の大径セグメント２１２に沿った移動が制限され、大径セグメントに対してプランジャ４の時計方向の回転が許容される。プランジャ４は前方端口２２３に向けてねじ込まれる。プランジャ４のねじによる移動により、シール部材４３が管状針座３１に対して相対的に回転し、シール部材４３のアンカー部４３２が、図６に示されるように、雄型及び雌型螺子セグメント３１５，４３３の係合によって、アンカー端部３１２２に係合するようにされる。
【００４１】
続いて、図７に示すように、プランジャ４がさらに大径セグメント２１２に対して相対的に時計方向に回転し、管状針座３１が第２の雄型螺子セグメント３１４を第２軸の回りに第２雌型螺子セグメント２２６から移動させるために解除位置に回転されると、管状針座３１の包囲係合壁３１１が小径セグメント２１１に対して第２軸に沿って後端口２２４に向けて移動する。アンカーエンド３１２２が、また、回転し、包囲肩部２１３に近いフックアップ位置から包囲肩部２１３より遠い圧縮位置へ移動する。同時に、アンカー端部３１２２のフック位置から圧縮位置への移動はアンカー部４３２を圧縮してシールラインを剥ぎ取り、これにより、シール部材４３をプランジャ本体４２から開放する。このようにして、管状針座３１が針アｋニューレ３２と共にシール部材４３により引っ張られ、シール部材４３は連通孔５１４を通して導入される周囲空気と負圧との間の圧力差によりキャビティ４１内に吸引され、これにより、図８に示すように、カニューレ針３２のカテーテル管６からキャビティ内への引き抜きを可能にする。更に、キャッチャー部４２６により、管状針座３１が、カニューレ針３２と共に、底端壁４２２を打つことが妨げられる。
【００４２】
したがって、使用に際しては、看護人はプラグ５２により連通孔５１４を閉じることができ、シール部材４３と針アセンブリ３が残されるプランジャ４２を後端口２２４に向けて引くことができ、少量の血液をバレル２の通路２１内にカテーテル管６を通して抽出することができる。図９を参照すると、看護人が大量の血液を抽出する必要があるとき、血液収集部材７がカテーテルハブ５に接続される。血液収集部材７は収容スペース７１を画成し、収容スペース７１に連通する導入孔７３を持つ包囲壁７２を含む。第１連結可撓管８１が導入孔７３と連通孔５１４に連結されて配置される。血液は血液収集部材７内にカテーテル管６、ダクト５１３及び第１連結可撓管８１を通してプランジャホン他４２を引くことなく流入され、これにより、看護人が血液に触れることを防ぐことができる。
【００４３】
以上とは別に、図１０を参照して、本発明による静脈カテーテル挿入装置の前述の実施例に類似した第２の好ましい実施例が示される。前述の実施例の要素に加えて、カテーテルハブ５のスリーブ壁５１１の内側スリーブ壁面は再入口５１５を持ち、この再入口５１５はスリーブ壁５１１を貫通して挿入孔５１７に連通するように半径方向に延び、また、境界領域５１９に対して連通孔５１４と反対側に位置する。更に、この実施例の静脈カテーテル挿入装置は、更に障壁部材５４と管状インサート５３を含む。障壁部材５４は、ゴムのような弾性材料で作られる。管状インサート５３は、障壁部材５４に接続され、第１軸に沿った通路５３１を画成する前側ネック端部５３４と、前側ネック端部５３４から延び、内側当接面５３６を持つ後部フレアー端部５３２を持つ。内側当接面５３６は第１軸を囲み、再入口５１５と連通するように延びる流体通路５３５を画成する。更に、血液収集部材７は導入口７３から離れて空気出口７４を持つ。第２の接続可撓管８２が空気出口７４と再入口５１５を接続して配置される。アセンブリにおいて、前側ネックがその上に連結される障壁部材５４は、境界領域５１９においてカテーテルハブ５のスリーブ壁５１１の内側スリーブ壁面と係合する。バレル２の前側包囲領域２２１１は管状インサート５３の内側当接面５３６と係合し、これにより、通路５３１とバレル２の通路２１とを整列させる。カニューレ針３２（図１０には図示せず）は、通路５３１、障壁部材５４のスリット、ダクト５１３、及びカテーテル管６を通して延びている。使用された針アセンブリ３（図１０に図示せず）がプランジャ本体（図１０に図示せず）内に上述と同様な方法で引き抜かれた後、障壁部材５４のスリットが弾性材料特性を使用して閉鎖される。
【００４４】
このように、障壁部材５４の配置により、血液が血液収集部材７内に流入しないことが確認されると、看護人はプランジャ本体４２を後方に引いて第２連結可撓管８２、再入口５１５、及びバレル２へ通ずる通路２１へと流路５３５を通して空気出口７４から空気を流入させ、これにより血液の血液収集部材７への流れを容易にする。
【００４５】
これとは別に、図１１を参照すると、本発明により静脈カテーテル挿入装置の第１の実施例の構成に類似する第３の好ましい実施例が示される。カテーテルハブ５のダクト５１３は管状インサート５５を通してバレル２の通路２１に連通する。管状インサートは障壁部材５４に連結され、軸に沿う通路を画成する前側ネック端部５５４と、  前側ネック端部５５４から第１軸に沿って延びる後方フレア端部５５２を持つ。後方フレア端部５５２は第１軸を囲み、流路５５１を画成する内側当接面と、流路５５１と連通するように半径方向に延びる再入口５５５を持つ。バレル２の前側包囲領域２２１１は管状インサート５５の内側当接面と係合する。このように、好ましい第２実施例と同様に、使用された針アセンブリ３がプランジャ本体４２内に引き抜かれた後、障壁部材５４のスリットが弾性材料の特性を利用して閉じられる。
【００４６】
図１２と１３を参照すると、本発明の静脈カテーテル挿入装置の第４の好ましい実施例が示されており、前述の実施例より短いバレル９を含んでいる。バレル９は、また、小径セグメント及び大径セグメント９１，９２を含み、また、前端口及び後端口９３１，９３２を画成する内側包囲バレル壁面９３６を持つ。カテーテルハブ５のスリーブ壁５１１は前端口９３１に係合するように移動される。大径セグメント９２は雄型螺子セグメント９３５を有し、プランジャ４の外側プランジャ壁面上に形成されている雌型螺子セグメント４２５と係合する。したがって、使用時には、看護人は外側包囲バレル壁面９３４を持ち、カニューレ針３２をカテーテル管６と共に、血液がバレル９内に流入するように患者の血管内に挿入することができる。次に、前述と同様な方法で、カニューレ針３２がプランジャ４のキャビティ４１内に引き抜かれ、安全に廃棄することができる。
【００４７】
更に、先端プロテクタ３３がカニューレ針３２とカテーテルハブ５をシールドするために装着され、バレル９の前側半分を挿入するための大径開口部を持っている。従って、カニューレ針３２とプランジャ４は先端プロテクタ３３とによって完全にシールドされ、看護人がその内部と接触することを防止する。
【００４８】
示されたように、本発明の静脈カテーテル挿入装置は以下のような効果を有する。
【００４９】
１．カニューレ針３２を挿入した後、プランジャ本体４２を大径セグメント２１２に対して相対的に時計方向に回転することにより、使用した針アセンブリ３はプランジャ本体４２のキャビティ４１内に抜き取ることができ、これにより、静脈カテーテル挿入装置の安全な廃棄が容易となる。
【００５０】
２．管状針座３１のアンカーセグメント３１２が軽量で透明で、凸状の表面を持つため、軸方向の貫通孔３１２１を通る血液の流れを看護人が安全な状態で観察することができる。
【００５１】
３．使用された針アセンブリ３はキャビティ４１内に引き抜かれたのち、看護人は血液を通路２１内に、或いは血液収集部材７に集めるためにバレル２とカテーテルハブ５を取り除くことなく、プランジャ本体４２を直接に引くことができ、これにより、看護人が血液に直接接触する可能性を減らすことができる。
【００５２】
本発明を、最も実用的と思われるもの、また好ましい実施例と共に説明したが、本発明は開示された実施例に限定されるものでなく、最も広い解釈による精神を範囲内に含まれる種々の装置をカバーすることを意図するものである。
【図面の簡単な説明】
【図１】通常の静脈カテーテル挿入装置の斜視図である。
【図２】通常の静脈カテーテル挿入装置により挿入されたカニューレ針を示す模式図である。
【図３】本発明による静脈カテーテル挿入装置の第１の好ましい実施例を示す部分断面図である。
【図４】第１の実施例の使用状態を示す断面図である。
【図５】シール部材が管状針座と接触している状態の第１の好ましい実施例の断面図である。
【図６】シール部材が管状針座に係合している状態の第１の好ましい実施例の断面図である。
【図７】シール部材がプランジャ本体から解除された状態の第１の好ましい実施例の断面図である。
【図８】管状針座とカニューレ針がプランジャ本体内に引き抜かれた状態の第１の好ましい実施例の断面図である。
【図９】他の使用状態の第１の好ましい実施例の部分断面図である。
【図１０】本発明の静脈カテーテル挿入装置の第２の好ましい実施例の部分断面図である。
【図１１】本発明の静脈カテーテル挿入装置の第３の好ましい実施例の部分断面図である。
【図１２】本発明の静脈カテーテル挿入装置の第４の好ましい実施例の斜視図である。
【図１３】静脈カテーテル挿入装置の第４の好ましい実施例の断面図である。
【符号の説明】
２，９  バレル
２１  通路
２１１、９１  小径セグメント
２１２，９２  大径セグメント
２２１  外側包囲バレル壁面
２２２  内側包囲バレル壁面
２２１１  前側包囲領域
３２  カニューレ針
３１  管状針座
３１２  アンカー部
３１２２  アンカー端部
３１１  包囲係合壁
３２１  ３２２  固定端
３１３  ハブエンド
３１２１  軸方向貫通孔
３２３  中間セグメント
４  プランジャ
４２  プランジャ本体
４１  キャビティ
４２１  頂端壁
４２２  底端壁
４３  シール部材
５  カテーテルハブ
５１  中間管状壁
５１１  スリーブ壁
５１２  包囲チップ壁
５１３  ダクト
５１４  連通口
５１６  貫通孔
５１７  挿入孔
５１８  保持肩部
５１９  境界領域
６  カテーテル管
６１  近接セグメント
６１１  フランジ部
６２  先端セグメント
【図１】
2005021352.tif 000003
【図２】
2005021352.tif 000004
【図３】
2005021352.tif 000005
【図４】
2005021352.tif 000006
【図５】
2005021352.tif 000007
【図６】
2005021352.tif 000008
【図７】
2005021352.tif 000009
【図８】
2005021352.tif 000010
【図９】
2005021352.tif 000011
【図１０】
2005021352.tif 000012
【図１１】
2005021352.tif 000013
【図１２】
2005021352.tif 000014
【図１３】
2005021352.tif 000015